(57)【要約】【課題】  収納物品の収納及び取出し作業を容易とした収納庫を提供する。【解決手段】  収納室の前面開口部に開閉自在な扉板を設けた収納庫において、収納室の上部を区成する天板を前後方向に分割された前側天板と後側天板により形成すると共に、前側天板を前後方向移動自在に構成することにより、該前側天板を後方に移動したとき、収納室が前面開口部に連通する上面開口部を形成する構成である。【選択図】  図５
2005075416.tif 000002
【特許請求の範囲】
【請求項１】
収納室の前面開口部に開閉自在な扉板を設けた収納庫において、
収納室の上部を区成する天板を前後方向に分割された前側天板と後側天板により形成すると共に、前側天板を前後方向移動自在に構成することにより、該前側天板を後方に移動したとき、収納室が前面開口部に連通する上面開口部を形成するように構成して成ることを特徴とする収納庫。
【請求項２】
収納室の前面開口部に開閉自在な扉板を設けた収納庫において、
収納室の上部を区成する天板を前後方向に分割された前側天板と後側天板により形成すると共に、前側天板を前後方向移動自在に構成することにより、該前側天板を後方に移動したとき、収納室が前面開口部に連通する上面開口部を形成するように構成して成り、
前側天板に前後方向に反転回動自在な施錠板を設け、前面開口部を扉板により閉鎖し且つ上面開口部を前側天板により閉鎖した状態で、施錠板を前方に回動したとき、該施錠板により扉板の開放と前側天板の後方移動を同時に阻止する施錠手段を構成して成ることを特徴とする収納庫。
【請求項３】
施錠板が前側天板に対して横軸を介して回動自在に連結された基板部と、該基板部から折曲延長されることにより扉板の上縁部を前面から保持する係止板部とを備えた断面ほぼＬ形に形成されて成ることを特徴とする請求項２に記載の収納庫。
【請求項４】
扉板の上縁部から前面に突出する舌片を設けると共に該舌片に施錠孔を開設し、施錠板の係止板部に前記舌片を挿通自在とする挿通孔を設けており、
施錠板を前方に回動して係止板部により扉板の上縁部を前面から保持せしめた状態で、挿通孔から挿出された舌片の施錠孔に錠前手段を取付可能となるように構成して成ることを特徴とする請求項３に記載の収納庫。
【請求項５】
扉板に上下方向に移動自在な施錠ロッドを設け、該施錠ロッドを下向き移動したとき、該施錠ロッドの下端を扉板の下縁から下向きに突出せしめ、前面開口部の下縁に設けた係止孔に係止せしめることにより、扉板の開放を阻止する構成において、
前記施錠ロッドがスプリングを介して上向きに付勢され、施錠板を後方に回動した状態では、該施錠ロッドの上端を扉板の上縁から上向きに突出せしめると共に下端を係止孔に係止しないように構成される一方、
施錠板を前方に回動し、基板部により施錠ロッドの上端を押圧したとき、該施錠ロッドがスプリングに抗して押下されることにより下端を係止孔に係止するように構成されて成ることを特徴とする請求項３又は４に記載の収納庫。
【発明の詳細な説明】
【技術分野】
【０００１】
本発明は、キャビネットタイプの収納庫に関する。
【背景技術】
【０００２】
従来、キャビネットタイプの収納庫は、例えば、輸送コンテナや、スチール製物置や、トランクルーム等に見られるように、収納室の前面開口部に開閉自在な扉板を設けた箱形のものとされており、扉板を開放することにより前面開口部を介して種々の物品を収納室に収納し又は収納室から取出すと共に、保管時には扉板により前面開口部を閉鎖し、必要に応じて扉板を施錠するように構成されている。
【特許文献１】特開２００１−２２５８９３号公報（輸送コンテナ）
【特許文献２】特開平７−３３１９０５号公報（物置）
【特許文献３】特開平２００１−１６４７７３号公報（物置）
【特許文献４】特開平６−８１５００号公報（トランクルーム）
【特許文献５】特開２００１−３４９０７１号公報（トランクルーム）
【発明の開示】
【発明が解決しようとする課題】
【０００３】
上述のような収納庫は、前面開口部を介して種々の物品を収納室に収納し又は収納室から取出すに際し、収納庫の全高が作業者の背丈よりも低い場合には、作業者が頭を下げながら物品の収納又は取出しを行わなければならず、作業が煩雑である。
【０００４】
そして、特に、収納室の奥行きが深い場合、物品の収納又は取出のための作業は、極めて困難となる。
【課題を解決するための手段】
【０００５】
本発明は、上述のような課題を解決した収納庫を提供するものであり、その第一の手段として構成したところは、収納室の前面開口部に開閉自在な扉板を設けた収納庫において、収納室の上部を区成する天板を前後方向に分割された前側天板と後側天板により形成すると共に、前側天板を前後方向移動自在に構成することにより、該前側天板を後方に移動したとき、収納室が前面開口部に連通する上面開口部を形成するように構成して成る点にある。
【０００６】
また、本発明が第二の手段として構成したところは、収納室の前面開口部に開閉自在な扉板を設けた収納庫において、収納室の上部を区成する天板を前後方向に分割された前側天板と後側天板により形成すると共に、前側天板を前後方向移動自在に構成することにより、該前側天板を後方に移動したとき、収納室が前面開口部に連通する上面開口部を形成するように構成して成り、前側天板に前後方向に反転回動自在な施錠板を設け、前面開口部を扉板により閉鎖し且つ上面開口部を前側天板により閉鎖した状態で、施錠板を前方に回動したとき、該施錠板により扉板の開放と前側天板の後方移動を同時に阻止する施錠手段を構成して成る点にある。
【０００７】
本発明において、前記施錠板は、前側天板に対して横軸を介して回動自在に連結された基板部と、該基板部から折曲延長されることにより扉板の上縁部を前面から保持する係止板部とを備えた断面ほぼＬ形に形成されることが好ましい。
【０００８】
本発明の好ましい実施形態は、扉板の上縁部から前面に突出する舌片を設けると共に該舌片に施錠孔を開設し、施錠板の係止板部に前記舌片を挿通自在とする挿通孔を設け、施錠板を前方に回動して係止板部により扉板の上縁部を前面から保持せしめた状態で、挿通孔から挿出された舌片の施錠孔に錠前手段を取付可能となるように構成している。
【０００９】
更に、本発明の実施形態において、扉板に上下方向に移動自在な施錠ロッドを設け、該施錠ロッドを下向き移動したとき、該施錠ロッドの下端を扉板の下縁から下向きに突出せしめ、前面開口部の下縁に設けた係止孔に係止せしめることにより、扉板の開放を阻止する構成において、前記施錠ロッドは、スプリングを介して上向きに付勢され、施錠板を後方に回動した状態では、該施錠ロッドの上端を扉板の上縁から上向きに突出せしめると共に下端を係止孔に係止しないように構成される一方、施錠板を前方に回動し、基板部により施錠ロッドの上端を押圧したとき、該施錠ロッドがスプリングに抗して押下されることにより下端を係止孔に係止するように構成されている。
【発明の効果】
【００１０】
本発明によれば、収納庫は、収納室の上部を区成する天板を前後方向に分割された前側天板と後側天板により形成し、前後方向移動自在に構成された前側天板を後方移動することにより、前面開口部に連通する上面開口部を形成せしめる構成であるから、種々の物品を収納室に収納し又は収納室から取出す作業が容易になる。従って、収納庫の全高が作業者の背丈よりも低い場合でも、従来のように作業者が頭を下げた無理な姿勢をとる必要がなく、頭を上げた自然な起立姿勢のままで作業を行うことができ、収納・取出の作業を容易とする。
【００１１】
また、本発明によれば、前側天板に前後方向に反転回動自在な施錠板を設け、前面開口部を扉板により閉鎖し且つ上面開口部を前側天板により閉鎖した状態で、施錠板を前方に回動したとき、該施錠板により扉板の開放と前側天板の後方移動を同時に阻止する施錠手段を構成したものであるから、収納庫の施錠が簡単容易となる。即ち、前面開口部を閉鎖する扉板と、上面開口部を閉鎖する前側天板を設けた構成において、扉板と前側天板をそれぞれ別個に施錠する施錠手段を独立に設ける場合には、何れか一方の施錠手段を掛け忘れる虞れがあるのに対して、本発明によれば一つの施錠手段を掛けることにより、扉板と前側天板の両方を同時に施錠することができるので、閉めたはずの扉板や前側天板が不慮に開いてしまうような問題がない。
【００１２】
このような同時施錠を可能とする施錠手段は、前記施錠板を、前側天板に対して横軸を介して回動自在に連結された基板部と、該基板部から折曲延長されることにより扉板の上縁部を前面から保持する係止板部とを備えた断面ほぼＬ形に形成することにより達成される。従って、このような施錠板の構成によれば、施錠板を前方に回動した状態で、係止板部が扉板の上縁部を前面から保持することにより、扉板の開放を阻止する。例えば、図示実施形態のような観音開き式の扉板の場合、扉板の自由な回動が係止板部により抑制される。また、引き違い式の扉板の場合でも、係止板部と扉板の間に凹凸嵌合等による係止手段を付設するだけで、扉板の自由なスライド移動が抑制される。そして、同時に、前側天板の自由な後方移動が阻止されている。
【００１３】
しかも、本発明は、施錠板を前方回動し、係止板部により扉板の上縁部を前面から保持せしめた状態で、係止板部に形成した挿通孔から扉板に設けた舌片を挿出せしめると共に、該舌片の挿出部に施錠孔を設けた構成であるから、該施錠孔に南京錠又はカンヌキ等の錠前手段を取付けることができ、これにより扉板と前側天板の両方を同時にロックすることが可能になる。
【００１４】
更に、本発明によれば、上下方向に移動自在な施錠ロッドを介して扉板を閉鎖位置で係止せしめる構成において、施錠板を後方回動したとき、施錠ロッドがスプリングを介して上方移動することにより扉板を開放自在とする一方、施錠板を前方回動したとき、該施錠板の基板部が施錠ロッドをスプリングに抗して押下げ、該施錠ロッドにより扉板を閉鎖位置に係止せしめる構成であるから、扉板の閉鎖状態における施錠を確実ならしめることが可能となる。そして、このような施錠ロッドによる扉板の施錠は、図示実施形態のような観音開き式とした扉板の他、引き違い式とした扉板のスライド移動を阻止する手段としても好適に実施することができる。
【発明を実施するための最良の形態】
【００１５】
以下図面に基づいて本発明の好ましい実施形態を詳述する。
【００１６】
（全体の概略構成）
図１ないし図６に示すように、収納庫１は、底板２及び背板３、並びに左右両側の側板４、４及び天板５により、前面開口部Ｆを有する収納室Ｓを区成し、前面開口部Ｆを開閉自在に閉鎖する扉板６を設けている。
【００１７】
（扉板の構成）
図示実施形態において、扉板６は、観音開き式となるように左右に分割された分割扉６ａ、６ｂを構成し、それぞれの分割扉６ａ、６ｂの側縁を側板４、４の前縁に対して縦軸を有するヒンジ７を介して回動自在に連結されている。然しながら、本発明において、扉板６は、１枚の扉により構成しても良く、更には、引き違い式のスライド扉により構成しても良い。
【００１８】
図例の場合、分割扉６ａ、６ｂは、前面開口部Ｆを閉鎖した状態で、底板２の前縁部に形成した段部２ａに嵌合することにより停止し、図５に示すように、一方の分割扉６ａの自由端側縁に形成した薄縁部８に対して、他方の分割扉６ｂの自由端側縁が前面から重なり合うように構成されている。そして、他方の分割扉６ｂには上下方向に移動自在な施錠ロッド９が設けられ、該施錠ロッド９を下向き移動したとき、該施錠ロッド９の下端９ａを該分割扉６ｂの下縁から下向きに突出し、前記段部２ａに設けた係止孔１０に係止せしめ、扉板６の開放を阻止するように構成されている。施錠ロッド９は、スプリング１１により上向きに付勢されており、常時は、該施錠ロッド９の上端９ｂを分割扉６ｂの挿通孔１２から上向きに突出せしめ、この状態では、下端９ａを分割扉６ｂの下縁から下向きに突出せず、分割扉６ｂの開閉を自由に行わしめる。
【００１９】
図３に示すように、一方の分割扉６ａの上縁近傍部には、前面に突出する舌片１３が設けられており、該舌片１３には施錠孔１４が開設されている。
【００２０】
このような施錠ロッド９や舌片１３の構成は、図示実施形態のように、扉板６を観音開き式の扉として構成する場合の他、引き違い式のスライド扉として構成する場合にも、同様に実施できることを諒解されたい。
【００２１】
（天板の構成）
天板５は、前後方向に分割された前側天板５ａと後側天板５ｂにより形成されている。前側天板５ａは、収納室Ｓの前側上部を区成すると共に、前後方向に移動自在に構成されており、後側天板５ｂは、収納室Ｓの後側上部を区成すると共に、背板３及び／又は側板４に固定されている。図例の場合、前側天板５ａは、後側天板５ｂの上面に重ね合わせられており、側板４の上縁が前側天板５ａ及び後側天板５ｂの両側に沿うガイド壁４ａを形成し、該ガイド壁４ａと側板４の間にスライドレールから成る摺動手段１５を設けているが、必ずしもこのような構成に限定されない。
【００２２】
従って、前側天板５ａを後方に移動したとき、収納室Ｓには前面開口部Ｆに連通する上面開口部Ｕが形成される（図５参照）。尚、前側天板５ａを前方に移動し、上面開口部Ｕを閉鎖したとき、前側天板５ａの両端前面が当接するように左右の側板４、４には内向きに突出するストッパ部４ｂが設けられており（図５参照）、前側天板５ａの上面と、扉板６の上面と、側板４、４（ガイド壁４ａ、４ａ）の上面は、ほぼ面一となるように形成されている（図３参照）。
【００２３】
（施錠手段の構成）
前側天板５ａの前縁近傍部には、前後方向に反転回動自在な施錠板１６が設けられており、前面開口部Ｆを扉板６により閉鎖すると共に、上面開口部Ｕを前側天板５ａにより閉鎖した状態で、施錠板１６を前方に回動したとき、該施錠板１６により扉板６の開放と前側天板５ａの後方移動を同時に阻止する施錠手段１７を構成している。
【００２４】
施錠板１６は、前側天板５ａに対して横軸を有するヒンジ１８を介して回動自在に連結された基板部１６ａと、該基板部１６ａから折曲延長されることにより扉板６の上縁部を前面から保持する係止板部１６ｂとを備えた断面ほぼＬ形の板材により形成されている。施錠板１６を前方に回動して係止板部１６ｂにより扉板６の上縁部を前面から保持せしめたとき、扉板６（一方の分割扉６ａ）に設けた舌片１３を挿通せしめるように、係止板部１６ｂには挿通孔１９が開設されている。また、この状態で、基板部１６ａが扉板６の上面に重ね合わせられる。尚、係止板部１６ｂの両端部には、側板４、４の前面に当接する端部１６ｃ、１６ｃが形成されている（図１参照）。
【００２５】
（作用）
上記構成の収納庫１において、種々の物品を収納室Ｓに収納し又は収納室Ｓから取出す場合は、施錠板１６を後方に回動することにより施錠手段１７を解錠せしめ、図５及び図６に示すように、収納室Ｓの前面開口部Ｆ及び上面開口部Ｕを開放せしめる。即ち、扉板６は、スプリング１１を介して施錠ロッド９を上向き移動することにより係止孔１０に対する係止を解除されるので、図示のように自由に開くことが可能であり、これにより前面開口部Ｆを開放する。また、前側天板５ａは、摺動手段１５を介して自由に後方に移動することが可能であり、これにより上面開口部Ｕを開放する。その結果、収納室Ｓには、前面開口部Ｆのみならず上面開口部Ｕが形成されるので、種々の物品を収納室Ｓに収納し又は収納室Ｓから取出す作業を容易に行うことができる。即ち、収納庫１の全高が作業者の背丈よりも低いような場合でも、従来のように作業者が頭を下げた無理な姿勢をとる必要がなく、頭を上げた自然な起立姿勢のままで作業を行うことができ、収納・取出の作業を容易とする。
【００２６】
収納・取出の作業を終えた後は、図３及び図４に示すように、扉板６を閉鎖することにより前面開口部Ｆを閉じると共に、前側天板５ａを前方に移動することにより上面開口部Ｕを閉じる。これにより収納室Ｓが閉鎖される。前側天板５ａの移動中、施錠板１６は、基板部１６ａを前側天板５ａの上面に重ね合わせられた状態で安置されているので、不慮に前方に向けて反転回動することはない。
【００２７】
この状態から、図４に鎖線で示すように施錠板１６を前方に回動すると、図１及び図２に示すように、基板部１６ａが扉板６の上面を被うと共に、係止板部１６ｂが扉板６の上縁の前面を被う。この際、基板部１６ａが施錠ロッド９の上端９ｂを押圧することにより該施錠ロッド９をスプリング１１に抗して押下げ、施錠ロッド９の下端９ａを係止孔１０に係止せしめ、これにより扉板６を開放不能に施錠する。
【００２８】
また、係止板部１６ｂは、舌片１３を挿通孔１９に挿通せしめた状態で、扉板６の上縁の前面を被うので、舌片１３の挿出部に形成された施錠孔１４に南京錠又はカンヌキ等の錠前手段を取付けることができ、これにより扉板６と前側天板５ａの両方を同時にロックすることが可能になる
【００２９】
図示の実施形態において、施錠板１６は、金属板により形成することにより、前方に回動した状態で自重により安定している。このため、係止板部１６ｂを扉板６の前面に係止することにより、前側天板５ａの後方移動を好適に阻止する。また、扉板６の全幅にわたる前面を係止板部１６ｂが被うことにより、観音開き式の分割扉６ａ、６ｂの開放移動を好適に阻止する。従って、この場合、施錠ロッド９や舌片１３等は、必ずしも設けることを必要としない。
【００３０】
（本発明の適用例）
図７は、本発明に係る収納庫の好適な適用例の１例を示している。既存の倉庫において移動コンテナ式の倉庫システムが知られている。このような倉庫システムにおいて、コンテナは、フォークリフト等の運搬車２０により所定位置Ｐに置かれると、図示矢印で示すように、所定の保管場所に移動し保管するように構成した自動化装置を備えている。この自動化装置は、保管中のコンテナを取出す場合には、該コンテナを保管場所から所定位置Ｐに移動する。倉庫スペースを最大限に利用するため、運搬車２０が所定位置Ｐで旋回するだけの余分なスペースは存在しない。
【００３１】
ところで、このような倉庫システムの稼働率を向上させるためには、単なるコンテナの保管に限らず、いわゆるトランクルーム兼用型の収納庫を保管することが好ましく、このような場面において、本発明に係る収納庫１を好適に利用することができる。尚、図７において、符号２１はパレットを示している。このようなパレット２１は、既存のものを使用しても良く、或いは収納庫１の底部に一体に設けても良い。
【００３２】
そこで、トランクルームの性質上、収納庫１は、倉庫システム内で頻繁に出し入れする必要があり、しかも、前述したような狭い空間とされた所定位置Ｐにおいて、収納庫１の収納室Ｓに対して物品の出し入れを行う必要がある関係上、上述のように物品の出し入れ作業を容易とした本発明に係る収納庫１の実用的価値が高く評価される。
【図面の簡単な説明】
【００３３】
【図１】本発明の１実施形態に関して、扉板及び前側天板を閉鎖すると共に施錠手段を施錠した状態を示す斜視図である。
【図２】図１に示す状態の収納庫の縦断面図である。
【図３】本発明の１実施形態に関して、扉板及び前側天板を閉鎖すると共に施錠板を後方回動することにより施錠手段を解錠した状態を示す斜視図である。
【図４】図２に示す状態の収納庫の縦断面図である。
【図５】本発明の１実施形態に関して、扉板及び前側天板を開けることにより前面開口部及び上面開口部を開放した状態を示す斜視図である。
【図６】図５に示す状態の収納庫の縦断面図である。
【図７】本発明に係る収納庫の適用例の１例を示す斜視図である。
【符号の説明】
【００３４】
１    収納庫
４    側板
４ａ  ガイド壁
５    天板
５ａ  前側天板
５ｂ  後側天板
６    扉板
６ａ、６ｂ  分割扉
９    施錠ロッド
９ａ  下端
９ｂ  上端
１０    係止孔
１１    スプリング
１３    舌片
１４    施錠孔
１５    摺動手段
１６    施錠板
１６ａ  基板部
１６ｂ  係止板部
１７    施錠手段
１８    ヒンジ
１９    挿通孔
Ｓ    収納室
Ｆ    前面開口部
Ｕ    上面開口部
【図１】
2005075416.tif 000003
【図２】
2005075416.tif 000004
【図３】
2005075416.tif 000005
【図４】
2005075416.tif 000006
【図５】
2005075416.tif 000007
【図６】
2005075416.tif 000008
【図７】
2005075416.tif 000009